(57)【要約】【課題】広帯域の電波吸収に対応できると同時に軽量な構造体を形成する野外建造物に設置する電波吸収パネルを提供する。【解決手段】本発明によ野外建造物に設置する電波吸収パネル１は、金属製の電波反射板３と電波反射板の上に電波を吸収するように所定の間隔で配置される桟型フェライト磁性体２及び桟型フェライト磁性体の外面保護部材から構成され、外面保護部材を桟型フェライト磁性体群の前面を被覆する表面保護板４と端部に配置された桟型フェライト磁性体の小口面を封鎖する防水材５から構成しており、他にも各桟型フェライト磁性体の露出表面を被覆する繊維補強プラスチックで構成できる。【選択図】　図１
2004011237.tif 000002
【特許請求の範囲】
【請求項１】
金属製の電波反射板、該電波反射板の上に電波を吸収するように所定の間隔で配置される桟型フェライト磁性体及び該桟型フェライト磁性体の外面保護部材から構成される野外建造物に設置する電波吸収パネル。
【請求項２】
外面保護部材が、桟型フェライト磁性体群の前面を被覆する表面保護板と端部に配置された桟型フェライト磁性体の小口面を封鎖する防水材から構成されることを特徴とする請求項１に記載の野外建造物に設置する電波吸収パネル。
【請求項３】
防水材が、外面を防水リブで補強されることを特徴とする請求項２に記載の野外建造物に設置する電波吸収パネル。
【請求項４】
外面保護部材が、各桟型フェライト磁性体の露出表面を被覆する繊維補強プラスチックで構成されることを特徴とする請求項１に記載の野外建造物に設置する電波吸収パネル。
【発明の詳細な説明】
【０００１】
【発明の属する技術分野】
本発明は、野外建造物に設置する電波吸収パネルに関し、特に、広帯域の電波吸収に対応できる軽量の野外建造物に設置する電波吸収パネルに関する。
【０００２】
【従来の技術】
高層建物には、その屋上に各種の設備類を配備してこれに関連した屋上梁型部、設備架台、目隠し壁部の建築部材、必要に応じて鉄塔等の野外建造物が設けられている。このために、周辺で飛来している電磁波を野外建造物によって遮断する状況を形成すると、電磁波が野外建造物に反射して周辺に二次ノイズを発生させて電磁波障害を新たに生じさせることになるが、現状で野外建造物周辺に常時飛来している電磁波は、ＶＨＦ，ＵＨＦの両テレビ電波で９０〜７７０ＭＨｚの広い周波数帯域を形成している。
【０００３】
従って、高層建物を構築した場合には、建造物に反射したテレビが広範囲の地域にゴースト等の電波障害を与えるために、高層の建物ではテレビ電波の障害対策が検討されてきている。
【０００４】
テレビ電波の反射障害は、影響する地域が遠距離、かつ広範囲になることから各種の対策が講じられているが、電波を反射させずに吸収する対策として電波吸収パネルを採用している。従来の電波吸収パネル２０は、図４に例示するようにフェライトタイル２１を反射金属板２２の上に敷き詰めており、支持部材２３によって野外建造物に配置することによって電磁波吸収性能を持たせている。
【０００５】
しかるに、電波吸収パネル２０のフェライトタイル２１は、吸収する電磁波の周波数帯域が狭いために、単一のフェライトタイルでは広帯域の周波数には対応できないことから、ＶＨＦとＵＨＦに対処するそれぞれの寸法や配置で対応していた。
【０００６】
このために、フェライトタイルを敷き詰めた電波吸収パネルは、広帯域の周波数への対応が困難であると共に、その設置が電波到来方向のみに取り付けるために鉄塔構造等に対して偏芯荷重をかける形態になっており、鉄塔構造にとって大きな不安定要因になっていた。
【０００７】
このために、鉄塔構造等の野外建造物に対して構造的に補強することが必要になることから鉄骨量の増大等を招来してコストアップの要因となっており、野外建造物に配置する電波吸収パネルは、高層建物に対する対策以上にその改善が望まれる問題点になっていた。
【０００８】
【発明が解決しようとする課題】
本発明は、上記の問題点に鑑みてその解消のために提案するものであり、広帯域の電波吸収に対応できると同時に軽量な構造体を形成する野外建造物に設置する電波吸収パネルを提供している。
【０００９】
【課題を解決するための手段】
本発明による野外建造物に設置する電波吸収パネルは、基本的に、金属製の電波反射板と電波反射板の上に電波を吸収するように所定の間隔で配置される桟型フェライト磁性体及び桟型フェライト磁性体の外面保護部材から構成されており、具体的には、外面保護部材を、桟型フェライト磁性体群の前面を被覆する表面保護板と端部に配置された桟型フェライト磁性体の小口面を封鎖して外面を防水リブで補強する防水材から構成したり、各桟型フェライト磁性体の露出表面を被覆する繊維補強プラスチックで構成されることを特徴としている。
【００１０】
【発明の実施の形態】
本発明による野外建造物に設置する電波吸収パネルは、基本的に、金属製の電波反射板と電波反射板の上に電波を吸収するように所定の間隔で配置される桟型フェライト磁性体及び桟型フェライト磁性体の外面保護部材から構成されている。
【００１１】
以下に、本発明による野外建造物に設置する電波吸収パネルに関する実施の形態を、図面に基づいて詳細に説明する。
【００１２】
図１は、本発明による電波吸収パネルの実施の形態を示しており、立断面斜視図（ａ）と一部を破断した平面図（ｂ）とで表示している
【００１３】
本発明による電波吸収パネルの実施の形態では、電波吸収パネル１は、図示のように直方体の桟型フェライト磁性体２を電波反射板３の上に配置して構成されている。
【００１４】
桟型フェライト磁性体２は、所定の厚み、高さ及び長さを有する直方体のフェライト磁性体であり、長手方向が同一方向になるような間隔をおいて並行に配列しているので、入射する電波の磁界方向は桟型フェライト磁性体２の長手方向と一致しており、電波の電界方向は桟型フェライト磁性体２の長手方向と直交している。
【００１５】
電波吸収パネル１の上記構成は、広帯域フェライト磁性体電波吸収装置（特開平４−４２９９９号参照）と同様に、電波をＴＥＭ波のままで吸収せずにＴＭ波に変換して吸収しており、上記構成を伝送線路モデルとして、入力インピーダンスや伝送線路の特性インピーダンスを等価回路化すると、フェライト磁性体の入力インピーダンス、動作電波の使用周波数の波長及び特性インピーダンスとの間に所望の関係が成り立たせて反射ゼロの状態を形成している。
【００１６】
配列された桟型フェライト磁性体２は、その前面を繊維補強プラスチック製の表面保護板４で被覆することで水分の浸入を防止すると共に、端部に配置された桟型フェライト磁性体２’、２’の小口面を防水材５で封鎖することで桟型フェライト磁性体２を防水状態に形成している。
【００１７】
以上の構成が示すように、本発明による電波吸収パネル１は、電波吸収体のフェライト磁性体を桟型に配列することで、吸収周波数の広帯域化を達成すると共に４０〜６０％程度の重量低減を図っている。
【００１８】
即ち、桟型フェライト磁性体の形状と配列は、電波の入射角度でその対応が変わってくるが、従来の電波吸収パネルの重量が５０ｋｇにと想定すると、同等の性能を示す本実施の形態では、入射角６０度で２０ｋｇ以下にすることが可能であり、最悪の入射角である正面入射の場合でも３０ｋｇ程度には低減できるものである。
【００１９】
又、桟型配列によって形成される吸収周波数は、従来における電波吸収パネルの示す吸収帯域幅が１４ｄＢ以上で１５０ＭＨｚ以下であるのに対して、１０００ＭＨｚ以上に広帯域化できる。
【００２０】
次ぎに、本発明による野外建造物に設置する電波吸収パネルの他の実施形態について説明する。
【００２１】
立断面斜視で示す図２の実施の形態では、電波吸収パネルの強度面を改善する例である。
【００２２】
本実施の形態での電波吸収パネル６は、上記実施の形態で説明した電波吸収パネル１の外面を、小口部分に配置したコ字形の防水リブ７で補強するものであり、桟型フェライト磁性体２の前面を被覆する表面保護板４と端部に配置された桟型フェライト磁性体２’、２’の小口面を封鎖している防水材５とを電波反射板３に押さえ付けることで電波吸収パネル６の全体を強固な一体ものに構成している。
【００２３】
又、図３の立断面斜視で示す実施の形態は、電波吸収パネルを機能面と重量面でさらに改善する例である。
【００２４】
本実施の形態での電波吸収パネル１０は、外面保護部材として繊維補強プラスチック１１を採用しており、各桟型フェライト磁性体２の露出表面を被覆すると同時に各桟型フェライト磁性体２の配列間に露出している電波反射板３の表面１２に焼き付けるように構成している。
【００２５】
従って、本実施の形態での電波吸収パネル１０は、各桟型フェライト磁性体２の間に他の誘電体等を介在させていないことから、電波吸収機能を正規の状態で最大に発揮させることを可能にしており、上記の各実施形態で配置していた表面保護板４と防水材５とを省略しているので、その重量も大幅に低減させている。
【００２６】
以上のように、本発明による野外建造物に設置する電波吸収パネルは、各実施の形態で詳細に説明したように構成しているので、従来の電波吸収パネルが抱えていた問題点を改善して、吸収電波の周波数を広帯域に対応できるようにすると共に、軽量化することで設置する鉄塔構造等の偏芯荷重を無くしているので、野外建造物を構造的に補強することを不要にしてコストの低減化を達成している。
【００２７】
以上、本発明による野外建造物に設置する電波吸収パネルを、上記実施の形態に基づいて詳細に説明したが、本発明は、これらの実施の形態に何ら限定されるものでなく、桟型フェライト磁性体、防水材、防水リブ及び繊維補強プラスチック等の具体的な構造や材質に関して、発明の主旨を逸脱しない範囲において各種の変更が可能であることは当然のことである。
【００２８】
【発明の効果】
本発明によ野外建造物に設置する電波吸収パネルは、基本的に、金属製の電波反射板と電波反射板の上に電波を吸収するように所定の間隔で配置される桟型フェライト磁性体及び桟型フェライト磁性体の外面保護部材から構成され、具体的には、外面保護部材を、桟型フェライト磁性体群の前面を被覆する表面保護板と端部に配置された桟型フェライト磁性体の小口面を封鎖して外面を防水リブで補強する防水材から構成したり、各桟型フェライト磁性体の露出表面を被覆する繊維補強プラスチックで構成されているので、吸収電波の周波数を広帯域にすると共に軽量化することで設置コストの低減化を達成できる効果を発揮している。
【図面の簡単な説明】
【図１】本発明による野外建造物に設置する電波吸収パネルの実施の形態図
【図２】本発明による電波吸収パネルの他の実施形態図
【図３】本発明による電波吸収パネルの他の実施形態図
【図４】従来の電波吸収パネル図
【符号の説明】
１、６、１０　電波吸収パネル、　２、２’　桟型フェライト磁性体、
３、２２　電波反射板、　４　表面保護板、　５　防水材、　７　防水リブ、
１１　繊維補強プラスチック、　１２　表面、　２０　電波吸収パネル、
２１　フェライトタイル、　２３　支持部材、
【図１】
2004011237.tif 000003
【図２】
2004011237.tif 000004
【図３】
2004011237.tif 000005
【図４】
2004011237.tif 000006